(57)【要約】【課題】プラグ本体に対してキャップとの螺合固着に際して、キャップの開口端周縁に設けた係止鍔部と、この係止鍔部が乗り越えて係止できるプラグ本体の突壁とより成る、簡単な係止構造を付与させて、キャップのプラグ本体への緊締の緩みを発生しないようにした緩み止め機構付導線端末プラグの提供。【解決手段】導線コードと接続されるプラグ本体Ａと、このプラグ本体Ａの導線コード接続箇所をプラグ本体Ａのネジ部に螺合固定できる円筒状のキャップＣとより成る導線端末プラグにおいて、プラグ本体Ａのネジ部に螺合できるキャップＣの開口端周縁に複数の切溝１４を設け、前記開口端の内周面に内側に向う係止鍔部１５を設け、プラグ本体Ａの突壁１３を乗り越えて係止できるようにして成ることを特徴とする緩み止め機構付導線端末プラグ。【選択図】図１
2010287326.tif 000002
【特許請求の範囲】
【請求項１】
導線コードと接続されるプラグ本体と、このプラグ本体の導線コード接続箇所をプラグ本体のネジ部に螺合固定できる円筒状のキャップとより成る導線端末プラグにおいて、プラグ本体のネジ部に螺合できるキャップの開口端周縁に複数の切溝を設け、前記開口端の内周面に内側に向う係止鍔部を設け、プラグ本体の突壁を乗り越えて係止できるようにして成ることを特徴とする緩み止め機構付導線端末プラグ。
【請求項２】
突壁の頂面には傾斜面を設け、キャップの係止鍔部を複数の切溝により拡開させ乍ら突壁を摺動して突壁を乗り越えて係止できるようにしたことを特徴とする請求項１記載の緩み止め機構付導線端末プラグ。
【発明の詳細な説明】
【技術分野】
【０００１】
本発明は、各種音楽機器などの電気接続に広く用いられる緩み止め機構付導線端末プラグに関する。
【背景技術】
【０００２】
一般に、スピーカを用いてギターなどの楽器を演奏する場合、楽器とスピーカとの間に、導線コードの両端に設けた導線端末プラグを接続して電気的な接続を行っている（例えば、特許文献１参照）。
【０００３】
ここに、図５を参照にして従来例の代表例を説明する。
【０００４】
図において、ａはプラグ本体、ｂは前記プラグ本体ａに接続される導線コード、ｃは前記プラグ本体ａの基部に設けられるネジ部ｄと螺合される円筒状のキャップを示す。
【０００５】
ところで、プラグ本体ａは、先端係合部１と絶縁環２を介して筒管部３が形成され、前記先端係合部１と通ずる芯杆４を前記筒管部３内に挿通させ、前記筒管部３の基部に鍔部５を設けて前記ネジ部ｄが形成されている。
【０００６】
そして、前記ネジ部ｄの後端には、導線コードｂを挟持する挟持爪６を備えた一方の端子板７を設け、併せて絶縁板８を介して、他方の端子板９を設けて導線コードｂを構成する二本の導線１０，１１をハンダ付けして使用できるようにしている。
【０００７】
すなわち、導線コードｂの一方の導線１０は、前記先端係合部１と導通され、また他方の導線１１は筒管部３と導通されることとなる。なお、円筒状のキャップｃの内側には導線コードｂの二本の導線１０，１１の不用意な接触を防止するためのゴムなどの絶縁筒体１２を介在させるものである。
【０００８】
叙上の構成において、プラグ本体ａのネジ部ｄに円筒状のキャップｃを螺合させてプラグ本体ａの基部に円筒状のキャップｃを確固に螺合固定させることができる。
【先行技術文献】
【特許文献】
【０００９】
【特許文献１】特開２００８−２９４４７５号公報
【発明の概要】
【発明が解決しようとする課題】
【００１０】
上述のプラグ，特に楽器用プラグにあっては、ギター等の楽器にプラグ本体ａの先端係合部１を接続してあるが、演奏時に楽器が激しく振り回されたり、コンサート終了後の撤収作業時において、かなり激しく乱雑に取り扱われると、キャップｃとプラグ本体ａのネジ部ｄとの螺合箇所が緩んで、密着性が損なわれるという問題が生ずる。
【００１１】
このような状態を看過すると、演奏時にキャップの緩みによりノイズが発生する不都合があり、またネジ部ｄを接着剤などで固着するなどの対策をとることも考えられるが、導線コードの断線の修理ができなくなり、使い捨てとなるなどの障害も生ずる。
【００１２】
本発明は叙上の点に着目して成されたもので、プラグ本体に対してキャップとの螺合固着に際して、キャップの開口端周縁に設けた係止鍔部と、この係止鍔部が乗り越えて喰い込ませて係止できるプラグ本体の突壁とより成る、簡単な係止構造を付与させて、キャップのプラグ本体への緊締の緩みを発生しないようにした緩み止め機構付導線端末プラグを提供することを目的とする。
【課題を解決するための手段】
【００１３】
本発明は、以下の構成を備えることにより上記課題を解決できる。
【００１４】
（１）導線コードと接続されるプラグ本体と、このプラグ本体の導線コード接続箇所をプラグ本体のネジ部に螺合固定できる円筒状のキャップとより成る導線端末プラグにおいて、プラグ本体のネジ部に螺合できるキャップの開口端周縁に複数の切溝を設け、前記開口端の内周面に内側に向う係止鍔部を設け、プラグ本体の突壁を乗り越えて係止できるようにして成ることを特徴とする緩み止め機構付導線端末プラグ。
【００１５】
（２）突壁の頂面には傾斜面を設け、キャップの係止鍔部を複数の切溝により拡開させ乍ら突壁を摺動して突壁を乗り越えて係止できるようにしたことを特徴とする前記（１）記載の緩み止め機構付導線端末プラグ。
【発明の効果】
【００１６】
本発明によれば、プラグ本体のネジ部に螺合するキャップの開口端周縁に複数の切溝を設け、かつ内側に向う係止鍔部が設けてあるので、プラグ本体に設けた突壁を乗り越えて螺合緊締が完了することとなり、緊締状態は突壁と係止鍔部との係合によってロックされて強固となり、接続されるギターなどの楽器を激しく振動させて演奏しても容易に緩む虞れがなく、安心して演奏を続けることができる。
【００１７】
万一、導線コードとの接続状態が不良になった場合とか、他の導線コードとの接続を交換する場合などでは、必要な工具を用いてキャップをプラグ本体に対して反対方向に捻回させて、係止鍔部を突壁より乗り越えさせてキャップをプラグ本体より外すことができる。
【００１８】
なお、キャップの開口端の係止突部は、複数の切溝が設けられているので、突壁を乗り越える際に、次第に拡開して開口部の径が大きくなり、乗り越えた後は縮少して開口部の径は原状に復するので、係合状態は強固であり、通常の使用状態での弛緩は全く生ずる虞れはない。
【図面の簡単な説明】
【００１９】
【図１】本発明の一実施例を示す緩み止め機構付導線端末プラグの一部切欠側面図で、（ａ）はプラグ本体とキャップとが非螺合時を、（ｂ）は螺合係止時を夫々示す。
【図２】プラグ本体の突壁と、この突壁を乗り越えるキャップの係止鍔部との作用状態を示す拡大部分図で、（ａ）は乗り越える前の断面図、（ｂ）は乗り越える過程の断面図、（ｃ）は乗り越えた係止状態の断面図
【図３】（ａ），（ｂ）は突壁の２例を示す部分拡大図
【図４】円筒状のキャップの全体の斜視図
【図５】従来例の代表例を示す一部を断面とする側面図で、（ａ）はプラグ本体とキャップとの非螺合時、（ｂ）は螺合過程時、（ｃ）は螺合緊締時
【発明を実施するための形態】
【００２０】
以下本発明を実施するための最良の形態を、実施例により詳しく説明する。
【実施例】
【００２１】
各図において、Ａはプラグ本体であって、１３は基部の鍔部５に設けた突壁であり、プラグ本体Ａを構成する他の部分は従来例と同一であり、同一符号を付して説明の詳細を省く。
【００２２】
また、Ｃは前記プラグ本体Ａと結合される円筒状のキャップを示し、１４は前記キャップＣの開口端周縁に切り込んだ複数の切溝、１５は開口端の内周面の内側に向う係止鍔部、１６は前記係止鍔部１５に続く凹処を示し、これ以外の他の構成は従来例と同一であり、同一符号を付して説明の詳細を省く。
【００２３】
ところで、前記プラグ本体Ａの突壁１３は、図３（ａ），（ｂ）に示すように、頂部が先鋭状αの場合とか平坦状βの場合などで構成され、キャップＣの開口端に設けられる係止鍔部１５が、キャップＣの螺合締付操作の際、滑動摺動できるように傾斜面１７を備える。
【００２４】
即ち、キャップＣをプラグ本体Ａのネジ部ｄに沿って、締め込み時の捻回前進させる過程で係止鍔部１５が突壁１３の傾斜面１７上を摺動し、切溝１４により外周方向に拡開伸径して、遂には頂部を乗り越えて再び縮径して現状の大きさに復帰し、突壁１３が凹処１６に入って係止状態を確保できるものである。なお、このキャップＣの締め込み時の締め込みトルクが大きくなるので締め込み終了間際に工具などを使用して締めるのが好ましい。
【００２５】
このように、導線コードｂを接続したプラグ本体Ａに対して、導線コードｂの接続箇所を被覆できる円筒状のキャップＣは、開口端周縁に形成される係止鍔部１５が、プラグ本体Ａの突壁１３を乗り越えて係止状態を保持して螺合緊締できるので、導線コードが激しく変動してもキャップＣがプラグ本体Ａより緩んで外れることがなく、ギターなどの演奏者は思う存分激しく楽器を振動させることができる。
【００２６】
さらに、楽器の移動中でのキャップＣの緩む虞れは全く生じない。
【符号の説明】
【００２７】
Ａ，ａ  プラグ本体
ｂ    導線コード
Ｃ，ｃ  キャップ
ｄ    ネジ部
１    先端係合部
２    絶縁環
３    筒管部
４    芯杆
５    鍔部
６    挟持爪
７，９  端子板
８    絶縁板
１０，１１  導線
１２  絶縁筒体
１３  突壁
１４  切溝
１５  係止鍔部
１６  凹処
１７  傾斜面
α    先鋭状
β    平坦状
【図１】
2010287326.tif 000003
【図２】
2010287326.tif 000004
【図３】
2010287326.tif 000005
【図４】
2010287326.tif 000006
【図５】
2010287326.tif 000007